【手続補正書】
【提出日】令和3年10月5日(2021.10.5)
【手続補正１】
【補正対象書類名】特許請求の範囲
【補正対象項目名】全文
【補正方法】変更
【補正の内容】
【特許請求の範囲】
【請求項１】
シートバックフレームと、
該シートバックフレームの上方に設けられたヘッドレストと、
該ヘッドレストを支持するピラーと、
該ピラーを前記シートバックフレームに取り付ける取付部材と、を有する乗物用シートであって、
前記ピラーは、前記取付部材と前記シートバックフレームとの間に配置されており、
前記取付部材は、前記ピラーを保持する保持部と、前記シートバックフレームに取り付けられる固定部と、を有し、
前記保持部には、開口部が形成されており、
該開口部は、前記ピラーのうち前記取付部材の前記保持部に保持されている部分が延伸する延伸方向に沿って延伸し、
前記開口部の縁部分に、前記ピラーと前記取付部材とを接合する溶接ビードが形成されていることを特徴とする乗物用シート。
【請求項２】
前記取付部材は、シート左右方向において異なる位置に設けられた２個以上の取付部材を有し、
前記２個以上の取付部材の少なくとも２個を連結する、１本のワイヤ部材からなる連結部材が設けられ、
前記取付部材の下端部には、後方に向かって延在し、前記ピラーの下端部を下方から覆う下方カバー部が設けられ、
前記連結部材は、前記下方カバー部に溶接されていることを特徴とする請求項１に記載の乗物用シート。
【請求項３】
前記連結部材は、
シート前後方向に延出する左右の第一延出部と、
シート左右方向に延出し、前記左右の第一延出部を連結する第二延出部と、を備え、
前記左右の第一延出部の各々の長さは、前記第二延出部の長さよりも短いことを特徴とする請求項２に記載の乗物用シート。
【請求項４】
前記２個以上の取付部材の少なくとも１つは、シート左右方向に離間して配置された左右の固定部を有し、
前記連結部材は、正面視において前記左右の固定部の少なくとも一方と上下方向で重なる位置に配置されていることを特徴とする請求項２に記載の乗物用シート。
【請求項５】
シート前後方向に交差する方向において前記ピラーと異なる位置に設けられたストライカー部材をさらに備え、
前記取付部材は、前記ストライカー部材を取り付けるストライカー取付壁部を有し、
前記ストライカー取付壁部は、前記保持部よりもシート前後方向における後側に位置していることを特徴とする請求項１乃至４のいずれか一項に記載の乗物用シート。
【請求項６】
シート前後方向に交差する方向において前記ピラーと異なる位置に設けられたストライカー部材をさらに備え、
前記取付部材は、前記ストライカー部材を取り付けるストライカー取付壁部を有し、
前記固定部は、前記ストライカー取付壁部よりもシート前後方向における後側に位置していることを特徴とする請求項１乃至４のいずれか一項に記載の乗物用シート。
【請求項７】
シート前後方向に交差する方向において前記ピラーと異なる位置に設けられたストライカー部材をさらに備え、
前記ストライカー部材は、前記ピラーと離間した位置で前記取付部材に固定されていることを特徴とする請求項１乃至４のいずれか一項に記載の乗物用シート。
【請求項８】
シート前後方向に交差する方向において前記ピラーと異なる位置に設けられたストライカー部材をさらに備え、
前記ストライカー部材は、前記ピラーと当接して前記取付部材に固定されていることを特徴とする請求項１乃至４のいずれか一項に記載の乗物用シート。
【請求項９】
シート前後方向に交差する方向において前記ピラーと異なる位置に設けられたストライカー部材をさらに備え、
前記ストライカー部材は、
前記シートバックフレームの後側に配置された環状部と、
前記シートバックフレームの前側に配置され、前記取付部材の後面に溶接されている端部と、
を備えることを特徴とする請求項１乃至４のいずれか一項に記載の乗物用シート。
【手続補正２】
【補正対象書類名】明細書
【補正対象項目名】０００６
【補正方法】変更
【補正の内容】
【０００６】
前記課題は、本発明の乗物用シートによれば、シートバックフレームと、該シートバックフレームの上方に設けられたヘッドレストと、該ヘッドレストを支持するピラーと、該ピラーを前記シートバックフレームに取り付ける取付部材と、を有する乗物用シートであって、前記ピラーは、前記取付部材と前記シートバックフレームとの間に配置されており、前記取付部材は、前記ピラーを保持する保持部と、前記シートバックフレームに取り付けられる固定部と、を有し、前記保持部には、開口部が形成されており、該開口部は、前記ピラーのうち前記取付部材の前記保持部に保持されている部分が延伸する延伸方向に沿って延伸し、前記開口部の縁部分に、前記ピラーと前記取付部材とを接合する溶接ビードが形成されていることにより解決される。
【手続補正３】
【補正対象書類名】明細書
【補正対象項目名】０００８
【補正方法】変更
【補正の内容】
【０００８】
また、前記取付部材は、シート左右方向において異なる位置に設けられた２個以上の取付部材を有し、前記２個以上の取付部材の少なくとも２個を連結する、１本のワイヤ部材からなる連結部材が設けられ、前記取付部材の下端部には、後方に向かって延在し、前記ピラーの下端部を下方から覆う下方カバー部が設けられ、前記連結部材は、前記下方カバー部に溶接されていると好ましい。
【手続補正４】
【補正対象書類名】明細書
【補正対象項目名】０００９
【補正方法】変更
【補正の内容】
【０００９】
また、前記連結部材は、シート前後方向に延出する左右の第一延出部と、シート左右方向に延出し、前記左右の第一延出部を連結する第二延出部と、を備え、前記左右の第一延出部の各々の長さは、前記第二延出部の長さよりも短いと好ましい。
【手続補正５】
【補正対象書類名】明細書
【補正対象項目名】００１０
【補正方法】変更
【補正の内容】
【００１０】
また、前記２個以上の取付部材の少なくとも１つは、シート左右方向に離間して配置された左右の固定部を有し、前記連結部材は、正面視において前記左右の固定部の少なくとも一方と上下方向で重なる位置に配置されていると好ましい。
【手続補正６】
【補正対象書類名】明細書
【補正対象項目名】００１１
【補正方法】変更
【補正の内容】
【００１１】
また、シート前後方向に交差する方向において前記ピラーと異なる位置に設けられたストライカー部材をさらに備え、前記取付部材は、前記ストライカー部材を取り付けるストライカー取付壁部を有し、前記ストライカー取付壁部は、前記保持部よりもシート前後方向における後側に位置していると好ましい。
【手続補正７】
【補正対象書類名】明細書
【補正対象項目名】００１２
【補正方法】変更
【補正の内容】
【００１２】
また、シート前後方向に交差する方向において前記ピラーと異なる位置に設けられたストライカー部材をさらに備え、前記取付部材は、前記ストライカー部材を取り付けるストライカー取付壁部を有し、前記固定部は、前記ストライカー取付壁部よりもシート前後方向における後側に位置していると好ましい。
【手続補正８】
【補正対象書類名】明細書
【補正対象項目名】００１３
【補正方法】変更
【補正の内容】
【００１３】
また、シート前後方向に交差する方向において前記ピラーと異なる位置に設けられたストライカー部材をさらに備え、前記ストライカー部材は、前記ピラーと離間した位置で前記取付部材に固定されているとよい。
【手続補正９】
【補正対象書類名】明細書
【補正対象項目名】００１４
【補正方法】変更
【補正の内容】
【００１４】
また、シート前後方向に交差する方向において前記ピラーと異なる位置に設けられたストライカー部材をさらに備え、前記ストライカー部材は、前記ピラーと当接して前記取付部材に固定されているとよい。
【手続補正１０】
【補正対象書類名】明細書
【補正対象項目名】００１５
【補正方法】変更
【補正の内容】
【００１５】
また、シート前後方向に交差する方向において前記ピラーと異なる位置に設けられたストライカー部材をさらに備え、前記ストライカー部材は、前記シートバックフレームの後側に配置された環状部と、前記シートバックフレームの前側に配置され、前記取付部材の後面に溶接されている端部と、を備えるとよい。